(57)【要約】  【課題】  ホテル客室の脱臭を迅速に短時間で効率的に行うことができるホテル客室の室内脱臭方法及びホテル客室用脱臭システムを提供する。  【解決手段】  消臭・殺菌液貯留タンク付き生成装置２１と、圧縮機２２と、消臭・殺菌液貯留タンク付き生成装置２１から各ホテル客室１２の放出口３４までを繋ぐ第１配管２６と、圧縮機２２から各ホテル客室２１の放出口３４までを繋ぐ第２配管２８と、各ホテル客室１２に対応して第１配管２６に設けられて第１配管２６の開閉を行う電磁弁３０と、各ホテル客室１２に対応して第２配管２８に設けられて第２配管２８の開閉を行なう電磁弁３２と、各ホテル客室１２の放出口３４に設けられて第１配管２６と第２配管２８に連結されるミストノズル３６と、を備える。ミストノズル３６から連続的に所定時間、ホテル客室内に消臭・殺菌液を噴霧する。【選択図】  図１
2006102124.tif 000002
【特許請求の範囲】
【請求項１】
一つのホテル客室に消臭・殺菌液を圧縮空気と共に所定時間連続的に噴霧し、ホテル客室内の室内脱臭を行なうことを特徴とするホテル客室の室内脱臭方法。
【請求項２】
ホテル客室内の脱臭を行なうためのホテル客室用脱臭システムであって、
消臭・殺菌液貯留タンクと、圧縮機と、消臭・殺菌液貯留タンクから各ホテル客室の放出口までを繋ぐ第１配管と、圧縮機から各ホテル客室の放出口までを繋ぐ第２配管と、各ホテル客室に対応して第１配管に設けられて第１配管の開閉を行う第１弁と、各ホテル客室に対応して第２配管に設けられて第２配管の開閉を行なう第２弁と、各ホテル客室の放出口に設けられて第１配管と第２配管に連結されるミストノズルと、を備え、第１弁及び第２弁を開いた状態で、消臭・殺菌液貯留タンクから１回当たりに相当する量の消臭・殺菌液をホテル客室に連続的に噴霧し得るようにしたことを特徴とするホテル客室用脱臭システム。
【発明の詳細な説明】
【技術分野】
【０００１】
本発明は、ホテル客室の室内脱臭方法及びホテル客室用脱臭システムに関し、特に、ホテル客室の清掃時の脱臭を短時間で効率的に行うことができる方法及びシステムに関する。
【背景技術】
【０００２】
ホテル客室においては、同じホテル客室を異なる客が順次、使用するために、前の客が退室した後、室内の残り香などを除去する作業が必要となり、かかる作業をいかに短時間で効率よく行うかが重要な問題となっている。
【０００３】
従来の方法としては、上記作業は、換気装置によって屋外に残り香を排出することによって主に行われている。
【０００４】
ところで、近年の建築物の高密閉化によって、建築物には機械換気が用いられ、その中でも第３種換気（排気のみ機械換気を行う方式）が性能、施工性、コストの面から施主に好まれる傾向にあり、ホテルにおいても各ホテル客室に機械換気の設備がなされていることがほとんどである。
【０００５】
しかしながら、そのような設備があるホテル客室においては、空気バランスが崩れ、陰圧の状態にあるため、設置された換気装置が必要な給気を得られず、十分な能力を発揮できているとは言い難い。そのため、残り香の除去のための空気の置換を短時間で十分に行うことが困難であり、脱臭を効率的に行なうことはできないという問題がある。
【０００６】
一方、本発明とは全く異なる目的であるが、特許文献１では、病室、手術室、動物舎、食品工場、ビニールハウス等の空間内の殺菌力を高めるために、次亜塩素酸含有殺菌水を殺菌すべき空間内に噴霧して空間を殺菌することを提案している。
【０００７】
また、特許文献２では、畜舎などの室内に薬液の帯電微粒子を噴霧拡散し、帯電微粒子を室内の浮遊粒子に付着させて殺菌および脱臭を行なうことを提案している。
【０００８】
しかしながら、人間が居住するようなホテル客室において脱臭を行なうことは全く考えられていないのが現状である。
【０００９】
【特許文献１】特開平８−７１１３６号公報
【特許文献２】特開２０００−５１３３０号公報
【発明の開示】
【発明が解決しようとする課題】
【００１０】
本発明の目的は、かかる課題に鑑みなされたもので、ホテル客室の脱臭を迅速に短時間で効率的に行うことができるホテル客室の室内脱臭方法及びホテル客室用脱臭システムを提供することである。
【課題を解決するための手段】
【００１１】
上記目的を達成するために、本発明のホテル客室の室内脱臭方法は、一つのホテル客室に消臭・殺菌液を圧縮空気と共に所定時間連続的に噴霧し、ホテル客室内の室内脱臭を行なうことを特徴とする。
【００１２】
また、本発明のホテル客室内の脱臭を行なうためのホテル客室用脱臭システムは、ホテル客室内の脱臭を行なうためのホテル客室用脱臭システムであって、
消臭・殺菌液貯留タンクと、圧縮機と、消臭・殺菌液貯留タンクから各ホテル客室の放出口までを繋ぐ第１配管と、圧縮機から各ホテル客室の放出口までを繋ぐ第２配管と、各ホテル客室に対応して第１配管に設けられて第１配管の開閉を行う第１弁と、各ホテル客室に対応して第２配管に設けられて第２配管の開閉を行なう第２弁と、各ホテル客室の放出口に設けられて第１配管と第２配管に連結されるミストノズルと、を備え、第１弁及び第２弁を開いた状態で、消臭・殺菌液貯留タンクから１回当たりに相当する量の消臭・殺菌液をホテル客室に連続的に噴霧し得るようにしたことを特徴とする。
【発明の効果】
【００１３】
本発明によれば、消臭・殺菌液を圧縮空気と共に所定時間連続的に噴霧して、ホテル客室内に消臭・殺菌液を散布する。これによって、ホテル客室内にこもっている残り香を一挙に除去することができる。こうして、短時間に迅速に脱臭を行うことができる。
【発明を実施するための最良の形態】
【００１４】
以下、図面を用いて本発明の実施の形態を説明する。
【００１５】
図１は本発明の実施形態に係るホテル客室の室内脱臭方法が適用されるホテル客室用脱臭システムを表す概略説明図である。
【００１６】
図において、１０はホテル建築物の一部を表しており、１２はホテルの各階にあるホテル客室である。この例では、代表して各階１つのホテル客室を表しているが、これに限るものではなく、各階、複数のホテル客室１２がある場合にも同様に適用可能である。このホテル客室１２の１客室容積は、ホテル客室として通常の８０〜１２０ｍ３の範囲となっている。ホテル客室１２の構成は任意であるが、この例では、図２に示したように、玄関１２Ａ、居室１２Ｂ、浴室１２Ｃ、洗面所１２Ｄ、トイレ１２Ｅの部屋を備えた通常の構成となっており、各部屋の仕切りには扉が適宜設けられて、場合により浴室１２Ｃには窓が設けられている。また、ホテル客室１２の居室１２Ｂ、浴室１２Ｃ及びトイレ１２Ｅには、通常の換気装置１３が設けられており、換気装置１３はダクトによって外部へと繋がれている。
【００１７】
本発明のホテル客室用脱臭システム２０は、大まかに、消臭・殺菌液貯留タンク付き生成装置２１と、エアタンク付き圧縮機２２と、各ホテル客室１２に設けられた放出口３４と、消臭・殺菌液貯留タンク付き生成装置２１と各ホテル客室１２の放出口３４とを繋ぐ第１配管２６と、圧縮機２２と各ホテル客室１２の放出口３４とを繋ぐ第２配管２８と、を備えている。
【００１８】
消臭・殺菌液貯留タンク付き生成装置２１及び圧縮機２２は、この例ではホテル建築物１０の屋上に配置されている。屋上以外にホテル建築物１０の周囲に配置することも可能である。圧縮機２２は、周囲に与える騒音を低減するために、消音ボックス２５内に配置されるとよい。
【００１９】
消臭・殺菌液貯留タンク付き生成装置２１は、例えば、次亜塩素酸ソーダと塩酸とを水で希釈混合して、消臭・殺菌液を生成するものであり、原料となる次亜塩素酸ソーダと塩酸をそれぞれ貯留する原料タンクと、生成された消臭・殺菌液を貯留する貯留タンクを内蔵する。但し、本発明では、貯留タンクのみを備えて、消臭・殺菌液は、別の場所にある生成装置により生成されたものを移送して貯留タンクに貯留することとしてもよい。
【００２０】
圧縮機２２は、エアタンク内蔵の小型のものとすることができ、圧縮空気の圧力としては、０．２〜０．５ＭＰａ、好ましくは、０．３ＭＰａ程度に設定される。但し、圧縮機本体とは別体にタンクを設けて圧縮機を構成することも可能である。
【００２１】
第１配管２６及び第２配管２８は、それぞれ各ホテル客室１２へと向かうように適宜分岐されており、その分岐路の配管部分に、電磁弁３０及び３２がそれぞれ設けられる。
【００２２】
各ホテル客室１２の放出口３４において、第１配管２６と第２配管２８の分岐部分が連通しており、そこでミストノズル３６に連結される。
【００２３】
図１及び図４に示すように、これら第１配管２６及び第２配管２８の分岐部分と、電磁弁３０及び３２は、各ホテル客室１２の天井裏１１の空間などの狭所に配置される。第１配管２６及び第２配管２８は口径が小さく、その口径は１００ｍｍφ以下とすることができ、ホテル建築物１０内の狭い天井裏１１などの空間内において接続するものとして施工上有利となっている。
【００２４】
電磁弁３０は、対応するホテル客室１２と消臭・殺菌液貯留タンク付き生成装置２１とを連通／非連通とするべく第１配管２６の開閉を行うものであり、電磁弁３２は、対応するホテル客室１２と圧縮機２２とを連通／非連通とするべく第２配管２８の開閉を行うものであり、清掃者による手動操作（リモートコントロール操作を含む）または、メインコントローラからの指令信号に基づき作動する。
【００２５】
以上のように構成されるホテル客室用脱臭システムの作用を以下に説明する。
【００２６】
このようなホテルでは、常時、脱臭作業を要するのではなく、ホテル客室１２の客が退室した比較的ランダムなタイミングで脱臭作業を要するようになる。消臭・殺菌液貯留タンク付き生成装置２１は、貯留タンクの貯留量が所定量に保持されるように、原料タンクに保管された原料から生成を行なうようになっている。同様に、圧縮機２２は、内蔵のエアタンクが充填されるように、間歇的に作動して圧縮エアを生成する。
【００２７】
あるホテル客室１２の清掃が必要になり、対応する電磁弁３０、３２が開かれると、圧縮機２２のエアタンクからの圧縮空気が、第２配管２８を通りホテル客室１２まで流れ、且つ、消臭・殺菌液貯留タンク付き生成装置２１からの消臭・殺菌液が、第１配管２６を通り、ホテル客室１２まで流れて、放出口３４のミストノズル３６で混合されて、噴霧状になって、ホテル客室内に散布され充満される。所定時間散布が行われると、タイマーの作動により電磁弁３０、３２が閉じる。
【００２８】
このときの噴霧量としては、空気量５〜１５Ｌ／ｍｉｎ、好ましくは１１Ｌ／ｍｉｎ、消臭・殺菌液量０．０１０〜０．０２０Ｌ／ｍｉｎ、好ましくは０．０１５Ｌ／ｍｉｎ、噴霧時間は１〜１０分、好ましくは２〜５分程度とすることができ、噴霧時間は短時間とすることができる。
【００２９】
電磁弁３０、３２の開閉時間設定により噴霧時間及び／または１回当たりの噴霧量を調整することができる。
【００３０】
１回当たりの圧縮空気量はそれほど大きくなく、且つ同時に稼動する客室数は全体の客室数に対して小さいものとなるために、圧縮機２２は圧縮能力が大きいものである必要はなく、また、配管２６、２８の口径は小さいものでよいため、コストパフォーマンスを良好にすることができる。特に、配管２６、２８は、ホテル建築物１０の天井裏などの狭い空間に配するのにも好適であり、その敷設、メインテナンス作業も簡単に行なうことができる。
【００３１】
この圧縮空気の連続散布により、体臭、飲食臭、汚物臭、精液臭、化粧集、ペット臭、タバコ臭等の残り香の原因となる物質を分解し、インフルエンザ・ウイルス、結核菌、ＳＡＲＳ等の空中に浮遊している菌を死滅させて、脱臭・殺菌を行なうことができる。こうして、短時間でホテル客室１２の清掃及び脱臭併せて殺菌を行うことができる。また、消臭・殺菌液散布後は、弱塩素系の匂いが若干残るので、次の客に対して部屋が消毒後であることを知らしめることができて、清潔感を与えることができる。
【００３２】
尚、以上の動作において、電磁弁３０、３２を開くための指令信号を客がホテル客室を退室したことを検出して、自動的に発生させるようにすることもできる。
【図面の簡単な説明】
【００３３】
【図１】本発明の実施形態に係るホテル客室の室内脱臭方法が適用されるホテル客室用脱臭システムを表す概略説明図である。
【図２】本発明の実施形態に係るホテル客室用脱臭システムの一部とホテル客室の平面図である。
【図３】図２の３−３線に沿って見た断面図である。
【符号の説明】
【００３４】
１０  ホテル建築物
１２  ホテル客室
２０  ホテル客室用脱臭システム
２１  消臭・殺菌液貯留タンク付き生成装置
２２  圧縮機
２６  第１配管
２８  第２配管
３０  電磁弁
３２  電磁弁
３４  放出口
３６  ミストノズル
【図１】
2006102124.tif 000003
【図２】
2006102124.tif 000004
【図３】
2006102124.tif 000005